(57)【要約】【課題】  所定のデータをプリントアウトする場合に、データの送り手側と受け取り側とで適切に著作権料の負担を共有できるネットワークプリントの著作権料課金システム及びそのためのプログラムを提供する。【解決手段】  プリント要求側端末としてのＰＣ１２が出力側端末としてのプリンタ１６に、著作権情報が付加されたプリントデータを送信し、プリントアウトを要求すると、プリンタコントローラ１７の著作権情報処理部２６及び課金演算部２８で、著作権情報に含まれる課金条件に基づき著作権料が演算され、著作権料データがプリンタコントローラ１７の著作権情報管理部２２から、ＰＣ１２の著作権情報管理部２２に送信される。その後、プリンタ１６でプリントデータがプリントアウトされる。【選択図】        図１
2006011524.tif 000002
【特許請求の範囲】
【請求項１】
ネットワークプリントの著作権料課金システムであって、
所定のデータのプリントアウトをネットワークを介して要求するプリント要求手段と、
前記プリント要求手段によるプリントアウトの要求に対して、プリントアウトの可否、著作権料の課金条件等の著作権情報を付加する著作権情報付加手段と、
前記課金条件に基づき前記プリント要求手段に対して著作権料の課金処理を実行する課金処理手段と、
前記課金処理手段により課金処理が実行された場合に、前記プリント要求手段からネットワークを介して送信された前記所定のデータをプリントアウトする出力手段と、
を備えることを特徴とするネットワークプリントの著作権料課金システム。
【請求項２】
請求項１記載のネットワークプリントの著作権料課金システムが、前記プリント要求手段からネットワークを介してプリントアウトが要求された場合に、前記プリント要求手段に対してプリントアウトの可否を確認する確認手段を備え、前記出力手段は、前記確認手段がプリントアウトが可能であることを確認した場合に前記所定のデータをプリントアウトすることを特徴とするネットワークプリントの著作権料課金システム。
【請求項３】
請求項１または請求項２記載のネットワークプリントの著作権料課金システムにおいて、前記著作権情報付加手段は、前記プリント要求手段がプリントアウトを要求できる前記出力手段を特定する情報を前記著作権情報に含めることができ、前記プリント要求手段は、前記著作権情報で特定された出力手段のみにプリントアウトを要求することを特徴とするネットワークプリントの著作権料課金システム。
【請求項４】
請求項１から請求項３のいずれか一項記載のネットワークプリントの著作権料課金システムにおいて、前記著作権情報付加手段は、前記出力手段におけるプリント方法を前記著作権情報に含めることができることを特徴とするネットワークプリントの著作権料課金システム。
【請求項５】
請求項４記載のネットワークプリントの著作権料課金システムにおいて、前記プリント方法は、コピー牽制模様の有無であることを特徴とするネットワークプリントの著作権料課金システム。
【請求項６】
請求項５記載のネットワークプリントの著作権料課金システムにおいて、前記コピー牽制模様のデータは、前記出力手段において前記所定のデータをプリントアウトする際に、前記所定のデータと合成されることを特徴とするネットワークプリントの著作権料課金システム。
【請求項７】
請求項１から請求項６のいずれか一項記載のネットワークプリントの著作権料課金システムにおいて、前記著作権情報付加手段は、白黒、カラー、サムネールプリントのみ、出力枚数及び課金可能期限等の制限事項を前記著作権情報に設定できることを特徴とするネットワークプリントの著作権料課金システム。
【請求項８】
請求項１から請求項７のいずれか一項記載のネットワークプリントの著作権料課金システムにおいて、前記著作権情報付加手段は、複数の前記出力手段毎に前記著作権料の課金条件を設定できることを特徴とするネットワークプリントの著作権料課金システム。
【請求項９】
請求項１から請求項８のいずれか一項記載のネットワークプリントの著作権料課金システムにおいて、前記著作権情報付加手段は、前記プリント要求手段と前記出力手段との間で著作権料の課金の分担割合を前記著作権料の課金条件に設定できることを特徴とするネットワークプリントの著作権料課金システム。
【請求項１０】
請求項１から請求項９のいずれか一項記載のネットワークプリントの著作権料課金システムにおいて、前記課金処理手段は、外部の既存の課金システムと連動して課金処理を実行することを特徴とするネットワークプリントの著作権料課金システム。
【請求項１１】
コンピュータをネットワークプリントの著作権料課金システムとして動作させるプログラムであって、
所定のデータのプリントアウトをネットワークを介して要求するステップと、
前記ネットワークを介して行われる所定のデータのプリントアウトの要求に対して、プリントアウトの可否、著作権料の課金条件等の著作権情報を付加するステップと、
前記課金条件に基づき前記プリント要求した相手に対して著作権料の課金処理を実行するステップと、
前記課金処理が実行された場合に、前記ネットワークを介して送信された前記所定のデータをプリントアウトするステップと、
をコンピュータに実行させることを特徴とするプログラム。
【発明の詳細な説明】
【技術分野】
【０００１】
本発明は、ネットワークに接続された出力装置からプリントアウトしたときに著作権料の課金処理を実行する機能を有するネットワークプリントの著作権料課金システム及びそのためのプログラムに関する。
【背景技術】
【０００２】
従来より、複写機、プリンタまたはプリンタ機能、ファクシミリ機能及びスキャンプリント機能等を有した複合機等の出力装置には、複写またはプリントしたときに課金する機能が備えられているものが実用化されている。また、所定のデータをプリントアウトする際に、著作権料を課金するシステムも提案されている。
【０００３】
例えば、下記特許文献１には、ユーザが要求した著作物の利用形態（一時利用、一部分利用、全利用等）に基づいて課金を行い、利用目的に応じて適切な対価で著作物を利用することができる情報処理装置が開示されている。
【特許文献１】特開２００１−３５０８６３号公報
【発明の開示】
【発明が解決しようとする課題】
【０００４】
しかし、上記従来の技術においては、各出力装置毎に搭載された課金カウンタにより、各出力装置毎のプリント枚数を算出し、この枚数により著作権料の課金処理を行っていた。このため、ネットワークに接続された複写機やパーソナルコンピュータから遠隔地にあるプリンタにプリントアウトを実行させるような場合、特に複数のプリンタにプリントアウトを実行させる場合に、プリントアウトの要求側と実行側とで適切に著作権料の負担を共有することができないという問題があった。
【０００５】
本発明は、上記従来の課題に鑑みなされたものであり、その目的は、所定のデータをプリントアウトする場合に、データの送り手側と受け取り側とで適切に著作権料の負担を共有できるネットワークプリントの著作権料課金システム及びそのためのプログラムを提供することにある。
【課題を解決するための手段】
【０００６】
上記目的を達成するために、本発明は、ネットワークプリントの著作権料課金システムであって、所定のデータのプリントアウトをネットワークを介して要求するプリント要求手段と、前記プリント要求手段によるプリントアウトの要求に対して、プリントアウトの可否、著作権料の課金条件等の著作権情報を付加する著作権情報付加手段と、前記課金条件に基づき前記プリント要求手段に対して著作権料の課金処理を実行する課金処理手段と、前記課金処理手段により課金処理が実行された場合に、前記プリント要求手段からネットワークを介して送信された前記所定のデータをプリントアウトする出力手段と、を備えることを特徴とする。
【０００７】
また、上記ネットワークプリントの著作権料課金システムは、前記プリント要求手段からネットワークを介してプリントアウトが要求された場合に、前記プリント要求手段に対してプリントアウトの可否を確認する確認手段を備え、前記出力手段は、前記確認手段がプリントアウトが可能であることを確認した場合に前記所定のデータをプリントアウトすることを特徴とする。
【０００８】
また、上記著作権情報付加手段は、前記プリント要求手段がプリントアウトを要求できる前記出力手段を特定する情報を前記著作権情報に含めることができ、前記プリント要求手段は、前記著作権情報で特定された出力手段のみにプリントアウトを要求することを特徴とする。
【０００９】
また、上記著作権情報付加手段は、前記出力手段におけるプリント方法を前記著作権情報に含めるように構成してもい。ここで、プリント方法は、コピー牽制模様の有無であってもよい。
【００１０】
また、上記コピー牽制模様のデータは、前記出力手段において前記所定のデータをプリントアウトする際に、前記所定のデータと合成されることを特徴とする。
【００１１】
また、上記著作権情報付加手段は、白黒、カラー、サムネールプリントのみ、出力枚数及び課金可能期限等の制限事項を前記著作権情報に設定できることを特徴とする。また、上記著作権情報付加手段は、複数の前記出力手段毎に前記著作権料の課金条件を設定できるように構成してもよい。また、上記著作権情報付加手段は、前記プリント要求手段と前記出力手段との間で著作権料の課金の分担割合を前記著作権料の課金条件に設定できるように構成してもよい。
【００１２】
また、上記課金処理手段は、外部の既存の課金システムと連動して課金処理を実行することを特徴とする。
【００１３】
また、本発明は、コンピュータをネットワークプリントの著作権料課金システムとして動作させるプログラムであって、所定のデータのプリントアウトをネットワークを介して要求するステップと、前記ネットワークを介して行われる所定のデータのプリントアウトの要求に対して、プリントアウトの可否、著作権料の課金条件等の著作権情報を付加するステップと、前記課金条件に基づき前記プリント要求した相手に対して著作権料の課金処理を実行するステップと、前記課金処理が実行された場合に、前記ネットワークを介して送信された前記所定のデータをプリントアウトするステップと、をコンピュータに実行させることを特徴とする。
【発明を実施するための最良の形態】
【００１４】
以下、本発明を実施するための最良の形態（以下、実施形態という）を、図面に従って説明する。
【００１５】
図１には、本発明にかかるネットワークプリントの著作権料課金システムの全体構成図が示される。図１において、所定のネットワーク１０には、パーソナルコンピュータ（以後、ＰＣという）１２、複写機１４、プリンタ１６，１８、サーバ２０等が接続されている。ネットワーク１０としては、特に限定されないが、例えばイントラネット、インターネット、衛星回線網、電話回線網等を使用することができる。
【００１６】
また、上記ＰＣ１２、複写機１４、プリンタ１６、サーバ２０には、相互にプリント要求をする際にプリントアウト用データに著作権情報を付加し、プリントアウト等の出力に対して相互に著作権料の課金処理を実行するための著作権情報管理部２２が設けられている。また、複写機１４は、複写機能のみを有するものに限られず、プリンタ機能、ファクシミリ機能及びスキャンプリント機能等を有した複合機であっても良い。また、プリンタ１６は、プリンタコントローラ１７により制御され、著作権情報管理部２２はこのプリンタコントローラ１７に設けられている。プリンタコントローラ１７は、コードデータ及びベクターデータをラスターデータに変換する（ＲＩＰ処理）等の機能を有している。さらに、プリンタ１８には著作権情報管理部２２が設けられていないが、サーバ２０がプリンタ１８における著作権料の課金処理を実行している。以上に述べた著作権情報管理部２２が、本発明にかかる著作権情報付加手段として機能する。
【００１７】
本実施形態の著作権料課金システムでは、いずれかの端末、例えばＰＣ１２からプリンタ１６に、著作権が設定されている所定のデータのプリントアウトが要求されると、プリンタ１６でプリントアウトした後、プリントアウト枚数及びカラー、白黒等のプリント内容その他課金に必要なデータが、出力側（データの受け取り側）であるプリンタ１６の著作権情報管理部２２からプリント要求側（データの送り手側）であるＰＣ１２の著作権情報管理部２２に送信される。ＰＣ１２及びプリンタ１６の著作権情報管理部２２では、予め設定されていた著作権料の課金条件に基づき、ＰＣ１２及びプリンタ１６の著作権料の課金額が決定される。これにより、プリント出力側及びプリント要求側で適切な著作権料の分担ができる。以上の場合のプリンタ１６が、本発明の出力手段として機能し、ＰＣ１２が本発明のプリント要求手段として機能している。なお、ネットワーク１０に接続された装置であれば、上記プリント要求手段及び出力手段として機能することができ、それらが有する著作権情報管理部２２により、相互に適切な著作権料の課金処理を実行することができる。例えば、複写機１４で著作権が設定されている画像を複写し、この複写データをプリンタ１６でプリントアウトする場合にも上記著作権料の課金処理を実行できる。
【００１８】
図２には、図１に示された著作権情報管理部２２の構成例のブロック図が示される。図２において、著作権情報管理部２２は、著作権情報設定部２４、著作権情報処理部２６、通信部３０、課金演算部２８、カウンタ管理部３２、ログ管理部３４及び記憶部３６を含んでいる。
【００１９】
著作権情報設定部２４では、プリントアウトのためのデータに、当該データに関連する著作権情報を付加する処理を実行する。ここで、上記プリントアウトのためのデータの内容は特に限定されないが、本発明のネットワークプリントの著作権料課金システムは、ＲＩＰ処理済みのファイルにも適用することができる。このＲＩＰ処理済みのファイルには、サムネール画像情報、用紙サイズ等のプリント条件、カラープロファイル等のプリンタに固有の情報及びＲＩＰ一次処理済みデータを含ませることができる。ここで、ＲＩＰ一次処理済みデータは、例えばテキストデータのみＲＩＰ処理を行い、イメージデータはベクターデータのままとされているデータである。イメージデータは、ＲＩＰ処理によりラスターデータとしてプリンタ１６等に送信すると、画像の劣化が生じやすいので、ベクターデータのまま送信し、プリンタ１６等データの受け取り側でラスタライズする。一方、テキストデータは、ラスターデータとして送信しても画像の劣化がさほど問題にならないので、ＲＩＰ処理をしてからプリンタ１６等に送信する。このように、プリントデータをＲＩＰ処理済みのファイルとしてプリンタ１６等に送信すると、処理時間がかかるＲＩＰ処理をプリンタ１６等で行わなければならないデータ量を減らすことができ、プリンタ１６等におけるプリントアウトに関する処理負担を低減できる。
【００２０】
上記著作権情報としては、例えばプリントアウトの可否、コピー牽制模様の付加の有無、著作権料の課金条件等があり、管理者が図示しないキーボード等で構成されたデータ入力装置から入力したデータに基づいて設定される。上記プリントアウトの可否は、著作権との関係でプリントアウトを許可するか否かあるいはサムネールプリントのみ許可する等のプリントアウトの制限事項に関する情報である。また、上記コピー牽制模様の付加の有無は、常に付加するか、付加しないか及びプリント時にコピー牽制模様のデータを検索してプリントアウト時にプリントアウト用のデータと合成する構成とするか等の情報である。プリントアウト時にコピー牽制模様のデータを検索してプリントアウト用のデータと合成する構成とすると、著作権情報のコピー牽制模様に関する表示を常に最新のものに更新することができる。さらに、著作権料の課金条件としては、出力手段となる相手側の端末の特定、課金の可否、課金単価、課金の制限事項等がある。これらの著作権情報は記憶部３６に記憶される。また、プリント要求側端末で設定された課金条件は、プリントアウトを要求する所定のデータを出力手段としてのプリンタ１６等に送信する際に該データに付加されて送信され、出力手段側端末の著作権情報管理部２２の記憶部３６に記憶される。
【００２１】
課金条件としての相手側の端末の特定は、当該端末に設けられた著作権情報管理部２２の識別番号、Ｍａｃアドレス、ＴＣＰ／ＩＰアドレス等を使用することができ、これによりプリントアウトを要求できる出力手段を特定できる。プリント要求側端末では、このように特定された出力手段のみにプリントアウトを要求するように構成される。このような構成により、著作権料の課金処理を確実に行うことができる。
【００２２】
課金の可否は、ネットワーク１０に接続された各装置がプリント要求手段として機能した場合に、プリントアウトを実行した出力手段から著作権料の課金ができるか否かを、各装置の組み合わせ毎に決定される。プリント要求側に著作権料の課金ができない場合は、出力手段側で著作権料を負担する。このとき、プリント要求側端末または出力手段側端末でプリントアウトの条件を決定できるように構成してもよい。例えば、出力手段側端末のデフォルト設定通り、コピー牽制模様の付加を行う、低解像度でのプリントのみ行う、白黒プリントのみ行う、プリント枚数を制限する、サムネールの画面表示のみ許可しプリントできない等の条件を設定できるようにする。
【００２３】
課金の単価は、所定の用紙サイズ１枚を、白黒またはカラーでプリントアウトした場合の価額等として規定される。
【００２４】
課金の制限事項としては、白黒のみ課金可、白黒，カラーいずれも課金可、課金可能な用紙サイズ、課金可能な片面または両面プリントの区別、課金可能な期限、課金可能な出力枚数、サムネールプリントのみ許可する等が設定できるように構成するのが好適である。
【００２５】
さらに、著作権情報設定部２４では、同報プリントの場合に複数の出力手段毎に課金条件を設定することもできる。
【００２６】
著作権情報処理部２６は、自分がプリント要求側の端末にある場合には、記憶部３６に記憶されている著作権情報を読み出し、プリントアウトを要求する所定のデータに付加した上で通信部３０を介して出力側の端末であるプリンタコントローラ１７等に送信する。また、自分が出力側の端末である場合には、プリント要求側の端末から受け取った著作権情報を記憶部３６に記憶させ、所定のデータをプリントアウトした際に、該著作権情報に含まれる著作権料の課金条件に基づいて課金処理を実行する。具体的には、プリントアウトした内容（白黒、カラー等）と枚数及び著作権料の課金単価等に応じて課金演算部２８に課金額を演算させ、演算結果をプリント要求側の端末に送信する。なお、この課金額の演算は、プリント要求側の端末の著作権情報管理部２２に実行させても良い。著作権情報処理部２６及び課金演算部２８により、本発明にかかる課金処理手段が構成される。
【００２７】
また、著作権情報処理部２６は、プリント要求側の端末から要求されたプリントアウトに対してプリント要求側に著作権料を課金できないと判断した場合、上述した著作権料を課金できない場合の動作を出力側端末であるプリンタ１６，１８等に指示する。この指示は、プリント要求側の端末、出力側端末のいずれの著作権情報処理部２６が実行するように構成してもよい。また、プリント要求側に著作権料を課金はできるが、課金前の段階でも上記著作権料を課金できない場合の動作を指示できるように構成してもよい。
【００２８】
なお、プリント要求側端末から出力側端末へ、上記予め設定した著作権情報を送信しない構成の場合にプリントアウトの要求があったとき、出力側端末の著作権情報処理部２６がプリント要求側端末の著作権情報管理部２２にプリントアウトの可否を問い合わせる構成としてもよい。この場合の著作権情報処理部２６が、本発明の確認手段に相当する。出力側端末の著作権情報処理部２６は、上記問い合わせに対する回答がプリントアウト可能である場合に、プリント要求側の端末に著作権情報を問い合わせ、回答された著作権情報に基づいて、プリントアウト及び著作権料の課金処理を実行する。また、著作権者からの許諾がない等の理由によりプリントアウト不可の場合は、プリントアウトを実行しない旨の通知を通信部３０を介してプリント要求側端末に行う。
【００２９】
著作権情報処理部２６による著作権料の課金処理は、プリント要求側の端末からのプリント要求がある毎に実行されても良いし、プリント要求を出力側端末側で蓄積しておき、出力側端末側の操作者の指示等により一括してプリントアウトしたときに、蓄積されていたプリント要求について著作権料の課金処理を実行しても良い。
【００３０】
課金演算部２８は、著作権情報処理部２６からの指示に基づき、所定の課金条件に従って所定のデータのプリントアウトに対するプリント要求側端末への著作権料の課金額を演算する。この演算は、プリント要求側端末、出力側端末のいずれの課金演算部２８が実行するように構成してもよい。
【００３１】
通信部３０は、ネットワーク１０を介して他の端末とのデータのやり取りを制御する。
【００３２】
カウンタ管理部３２は、出力側端末においてプリントアウトした枚数分、出力側端末のカウンタをインクリメントする制御を行う。この制御は、プリント要求側端末、出力側端末のいずれのカウンタ管理部３２が実行するように構成してもよい。なお、出力側端末のカウンタが、カウンタ管理部３２と連動できない構成の場合は、外部の既存の課金システムと連動して課金処理を実行する構成としても良い。この場合は、この既存の課金システム側のカウンタによりプリントアウトした枚数をカウントする。既存の課金システムとしては、例えば課金用サーバ等がある。
【００３３】
ログ管理部３４は、出力側端末においてプリントアウトを実行したときの著作権料の課金内容のデータを取得し、記憶部３６に該データをログとして記憶させる。また、ログ管理部３４は、当該ログをプリント要求側の端末の著作権情報管理部２２にも、通信部３０を介して送信する。ログの内容としては、カラープリントまたは白黒プリントの区別、用紙サイズ、プリント枚数、プリント日時、プリント要求側端末及び出力側端末の識別番号、著作権料の課金先の端末の識別番号、著作権料の価額等がある。プリント要求側の端末では、自分が送信したデータがどこに流れたかを、上記ログから追跡することができる。
【００３４】
図３（ａ）、（ｂ）には、図２に示された記憶部３６の記憶領域に端末装置毎に形成された上記ログ（イベントログ）の内容の一部が示される。図３（ａ）にはプリント要求側の端末であるＰＣ１２のログが、図３（ｂ）には出力側端末のログがそれぞれ示され、プリントの内容としてのカラーと白黒の各枚数のデータが、各端末の識別番号（マシンＩＤ）毎に示されている。
【００３５】
図３（ａ）のプリントデータの欄には、出力側端末でプリントアウトされたプリントデータのカラープリントの枚数が１２枚として記憶されている。プリント枚数に関するデータは、出力側端末の著作権情報処理部２６から通信部３０を介してプリント要求側端末であるＰＣ１２に送信されたものである。なお、プリントデータは、ＰＣ１２で作成され、またはスキャナ等で読み込み、ＰＣ１２に取り込んだ画像データである。また、図３（ｂ）のプリントデータの欄には、出力側端末でプリントアウトされたプリントデータのカラープリントの枚数が−１２枚として記憶されている。ここで、出力側端末のログの枚数がマイナスとなっているのは、出力側端末のプリントアウトの総数から当該枚数を減算し、プリント要求側端末への著作権料の課金額と同額の課金減算処理を出力側端末に対して実行するためである。このような処理を行わないと、プリント要求側端末と出力側端末とで二重に著作権料が課金されてしまうので、二重課金を回避するために行われる。なお、これらの枚数データによる課金額の演算は、課金演算部２８により実行される。
【００３６】
図３（ａ）、（ｂ）に示されるように、ログは端末毎に記憶されているので、各端末毎に個々に著作権料の課金処理を実行することができる。
【００３７】
本実施形態では、ネットワーク１０に接続された各端末毎に、著作権料の課金につき異なる分担割合を設定してもよい。これにより、各端末の管理者における著作物であるプリントアウトデータの使用状況等を考慮して、より適切な著作権料の分担が可能となる。図４には、各端末毎の著作権料の課金の分担割合の例が示される。図４において、著作権料の課金の分担割合は、各端末の識別番号（マシンＩＤ）毎に、プリント内容がカラーか白黒か、プリント要求されたデータが複写データかプリントデータ（ＰＣ１２等複写機１４以外からのデータ）かに分けて、それぞれ設定されている。なお、分担割合の設定区分は、これらの項目に限られず、著作物であるプリントアウトデータの使用状況等に応じて適宜決定できる。
【００３８】
図５には、本実施形態にかかるネットワークプリントの著作権料課金システムの動作の説明図が示される。図５において、プリント要求側の端末で著作権情報設定部２４により著作権情報を設定する（Ａ）。なお、この著作権情報は、出力側端末の著作権情報設定部２４により設定し、これをプリント要求側端末の著作権情報管理部２２に送信する構成でもよい。
【００３９】
次に、プリント要求側の端末であるＰＣ１２で、プリントアウトするためのプリントデータを作成し（Ｂ）、プリントデータと著作権情報のデータとをプリント要求側端末から出力側端末に、通信部３０を介して送信する（Ｃ）。この著作権情報には、プリントアウトの条件（白黒、カラー、用紙サイズ、枚数等）及び所定のコピー牽制模様のデータ等を付加してもよい。
【００４０】
次に、出力側端末の著作権情報処理部２６からプリント要求側端末に、送信されたデータのプリントアウトの可否を、通信部３０を介して問い合わせる（Ｄ）。この問い合わせに対して、プリント要求側端末の著作権情報処理部２６から出力側端末に、通信部３０を介してプリントアウトの可否が回答される（Ｅ）。なお、この問い合わせは、上記ステップ（Ｃ）において、送信された著作権情報にプリントアウトの可否が含まれていない場合のみに実行すればよい。
【００４１】
著作権情報に含まれる課金条件に基づいて著作権情報処理部２６が課金演算部２８に著作権料の課金額を演算させ、プリント要求側端末に送信部３０を介して著作権料の課金額に関する情報を送信する（Ｆ）。なお、プリントの枚数を出力側端末の著作権情報処理部２６がプリント要求側端末に送信し、プリント要求側端末の課金演算部２８で著作権料の課金額を演算させてもよい。
【００４２】
プリント要求側端末に対する著作権料の課金処理が実行された場合に、出力側端末では、プリント要求側端末から送信されたプリントデータをプリントアウトする（Ｇ）。
【００４３】
次に、以上の処理のデータから、ログ管理部３４が一連の処理のログを作成する（Ｈ）。
【００４４】
以上により、本実施形態の著作権料の課金処理が完了する。
【図面の簡単な説明】
【００４５】
【図１】本発明にかかるネットワークプリントの著作権料課金システムの全体構成図である。
【図２】図１に示された著作権情報管理部の構成例のブロック図である。
【図３】図２に示された記憶部の記憶領域に端末毎に形成されたログの内容の一部を示す図である。
【図４】著作権料の課金について、各端末毎の分担割合の例を示す図である。
【図５】図１に示されたネットワークプリントの著作権料課金システムの動作の説明図である。
【符号の説明】
【００４６】
１０  ネットワーク、１２  パーソナルコンピュータ、１４  複写機、１６，１８  プリンタ、１７  プリンタコントローラ、２０  サーバ、２２  著作権情報管理部、２４  著作権情報設定部、２６  著作権情報処理部、２８  課金演算部、３０  通信部、３２  カウンタ管理部、３４  ログ管理部、３６  記憶部。
【図１】
2006011524.tif 000003
【図２】
2006011524.tif 000004
【図３】
2006011524.tif 000005
【図４】
2006011524.tif 000006
【図５】
2006011524.tif 000007